(57)【要約】【課題】植物の生育を効率的に促進可能な空気調和装置を提供する。【解決手段】空気調和装置２０は、筐体３１と、第１送風ファン３２と、熱交換器３３と、第１噴霧ノズル３４と、送風ダクト３５とを備える。第１送風ファン３２は、筐体内３１に配置され、筐体３１内に空気を取り込む。熱交換器３３は、筐体３１内に配置され、内部に水を循環させる。第１噴霧ノズル３４は、筐体３１内に配置され、水を筐体３１内に噴霧する。送風ダクト３５は、筐体３１から延び、植物ＰＴの成長点に向けて送風するための送風口３５ａを有する。【選択図】図１
2020191847.tif 000002
【特許請求の範囲】
【請求項１】
植物の栽培室に配置される空気調和装置であって、
筐体と、
前記筐体内に配置され、前記筐体内に空気を取り込む第１送風ファンと、
前記筐体内に配置され、内部に水を循環させる熱交換器と、
前記筐体内に配置され、水を前記筐体内に噴霧する第１噴霧ノズルと、
前記筐体から延び、前記植物の成長点に向けて送風するための送風口を有する送風ダクトと、
を備える空気調和装置。
【請求項２】
前記熱交換器及び前記第１噴霧ノズルの少なくとも一方に供給される水は、地下水である、
請求項１に記載の空気調和装置。
【請求項３】
前記第１噴霧ノズルは、細霧及び粗霧を噴霧できる、
請求項１又は２に記載の空気調和装置。
【請求項４】
前記筐体内に配置され、前記第１噴霧ノズルから噴霧される水の一部を受ける水受け部と、
前記水受け部に接続され、前記植物の根域に配置される流水管と、
を備える請求項１乃至３のいずれかに記載の空気調和装置。
【請求項５】
前記第１噴霧ノズルへの給水量を制御する制御部を備え、
前記制御部は、間欠的に前記第１噴霧ノズルへ給水する、
請求項１乃至４のいずれかに記載の空気調和装置。
【請求項６】
前記植物の上方に配管される配水管と、
前記配水管に取り付けられ、水を前記栽培室内に噴霧する第２噴霧ノズルと、
を備える請求項５に記載の空気調和装置。
【請求項７】
前記制御部は、前記第２噴霧ノズルへの給水量を制御し、
前記制御部は、間欠的に前記第２噴霧ノズルへ給水する、
を備える請求項６に記載の空気調和装置。
【請求項８】
前記栽培室の天井に沿って配置され、前記栽培室内の空気を吸入するための吸気口を有する吸気ダクトと、
前記吸気ダクト内の空気を取り込む第２送風ファンと、
前記第２送風ファンから送風される空気を前記第１送風ファンに送る循環ダクトと、
を備える請求項１乃至７のいずれかに記載の空気調和装置。
【請求項９】
前記栽培室の天井に沿って配置され、前記栽培室内の空気を吸入するための吸気口を有する吸気ダクトと、
前記吸気ダクト内の空気を取り込む第２送風ファンと、
前記第２送風ファンから送風される空気を前記栽培室の外部に放出する放出ダクトと、
を備える請求項１乃至７のいずれかに記載の空気調和装置。
【発明の詳細な説明】
【技術分野】
【０００１】
本発明は、植物の栽培室に配置される空気調和装置に関する。
【背景技術】
【０００２】
植物を栽培するための栽培室（例えば、ビニールハウスなど）では、初夏から初秋にかけて高温乾燥状態となって植物の生育不良が発生しやすいため、栽培室内の冷房が行われる。
【０００３】
特許文献１では、栽培室内に取り込んだ外気中に冷水を噴霧した後、冷水が循環する熱交換器によって外気を更に冷却する手法が提案されている。
【０００４】
特許文献２では、栽培室の床及び天井のそれぞれに設置された地下水循環パネル内に地下水を循環させることによって、栽培室内を冷却する手法が提案されている。
【先行技術文献】
【特許文献】
【０００５】
【特許文献１】特開２００３−９６７８号公報
【特許文献２】特開２０１６−８６８０６号公報
【発明の概要】
【発明が解決しようとする課題】
【０００６】
しかしながら、特許文献１及び特許文献２に記載の手法は、栽培室全体を冷房するものであるため非効率的かつ非経済的であるだけでなく、植物の生育に適した湿度に加湿することも困難である。
【０００７】
本発明は、上述した状況に鑑みてなされたものであり、植物の生育を効率的に促進可能な空気調和装置の提供を目的とする。
【課題を解決するための手段】
【０００８】
本発明に係る空気調和装置は、植物の栽培室に配置される空気調和装置であって、筐体と、第１送風ファンと、熱交換器と、第１噴霧ノズルと、送風ダクトとを備える。第１送風ファンは、前記筐体内に配置され、前記筐体内に空気を取り込む。熱交換器は、前記筐体内に配置され、内部に水を循環させる。第１噴霧ノズルは、前記筐体内に配置され、水を前記筐体内に噴霧する。送風ダクトは、前記筐体から延び、前記植物の成長点に向けて送風するための送風口を有する。
【発明の効果】
【０００９】
本発明によれば、植物の生育を効率的に促進可能な空気調和装置を提供することができる。
【図面の簡単な説明】
【００１０】
【図１】実施形態に係る栽培室の構成を示す模式図
【発明を実施するための形態】
【００１１】
以下、図面を参照しながら、本発明の一実施形態について説明する。ただし、本発明の範囲は、以下の実施の形態に限定されず、本発明の技術的思想の範囲内で任意に変更可能である。また、以下の図面においては、各構成をわかりやすくするために、各構造における縮尺および数等を、実際の構造における縮尺および数等と異ならせる場合がある。
【００１２】
（栽培室１００の全体構成）
図１は、本実施形態に係る栽培室１００の構成を示す模式図である。栽培室１００は、植物ＰＴの栽培に用いられる。栽培室１００は、例えば、温室やビニールハウスなどである。植物ＰＴは、培地ＣＭに植えられている。植物ＰＴは、例えばトマトやイチゴなどであるが、これに限られない。
【００１３】
栽培室１００は、外壁１０と、空気調和装置２０とを備える。
【００１４】
外壁１０は、栽培室１００の側壁１１と天井１２とを含む。外壁１０は、透光性を有する部材によって構成される。外壁１０は、ビニールなどのシート部材やアクリルなどの薄板などによって構成される。側壁１１のうち後述する第１送風ファン３２と対向する部位には、外気を取り込むためのシャッタ１３が取り付けられる。シャッタ１３は、開閉可能である。
【００１５】
空気調和装置２０は、栽培室１００内に配置される。空気調和装置２０は、栽培室１００内の空気調和を行う。具体的には、空気調和装置２０は、栽培室１００内の空気の温度及び湿度を、植物ＰＴの生育に適した環境に調整する。
【００１６】
（空気調和装置２０の構成）
図１に示すように、空気調和装置２０は、送風部３０と、根域温度調整部４０と、加湿部５０と、暖気回収部６０と、制御部７０とを備える。
【００１７】
１．送風部３０
送風部３０は、筐体３１と、第１送風ファン３２と、熱交換器３３と、第１噴霧ノズル３４と、送風ダクト３５とを有する。
【００１８】
筐体３１は、第１送風ファン３２と、熱交換器３３と、第１噴霧ノズル３４とを収容する箱である。筐体３１は、シャッタ１３から所定間隔を隔てて配置される。筐体３１の形状及びサイズは、適宜変更可能である。
【００１９】
第１送風ファン３２は、筐体３１内に配置される。第１送風ファン３２は、筐体３１内に空気を取り込む。第１送風ファン３２は、シャッタ１３が開いている場合、シャッタ１３から空気（外気）を筐体３１内に取り込む。第１送風ファン３２は、シャッタ１３が閉まっている場合、シャッタ１３と筐体３１との隙間から、栽培室１００内の空気（内気）を筐体３１内に取り込む。第１送風ファン３２は、後述する制御部７０によって回転駆動制御される。
【００２０】
熱交換器３３は、筐体３１内に配置される。熱交換器３３は、給水管Ｌ１を介して配水弁７１から水が供給される場合、内部に水を循環させる。熱交換器３３の内部を循環した水は、後述する水受け部４１に流出する。熱交換器３３は、給水管Ｌ１を介して配水弁７１から水が供給されない場合、内部に水を循環させない。
【００２１】
熱媒体としての水には、地下水、水道水、川の水、湖沼の水などを利用することができる。特に、地下水は年間を通して水温が安定しており、熱媒体として利用することで運転コストを低減させることができるので好ましい。
【００２２】
熱交換器３３は、第１送風ファン３２から送風される空気を冷却又は加温する。熱交換器３３内を循環する水の温度が、第１送風ファン３２から熱交換器３３に送風される空気の温度より低い場合、空気は熱交換器３３によって冷却される。熱交換器３３内を循環する水の温度が、第１送風ファン３２から熱交換器３３に送風される空気の温度より高い場合、空気は熱交換器３３によって加温される。熱交換器３３によって冷却又は加温された空気は、熱交換器３３を通過して第１噴霧ノズル３４に向かって流れる。
【００２３】
熱交換器３３は、パイプによって構成することができる。熱交換器３３を構成するパイプは、例えばジグザグ状に配管される。熱交換器３３を構成するパイプには、熱交換を促進させるためのフィンなどが設けられていてもよい。
【００２４】
第１噴霧ノズル３４は、筐体３１内に配置される。本実施形態において、第１噴霧ノズル３４は、第１送風ファン３２から送風される空気の流れ方向において、熱交換器３３の下流側に配置される。第１噴霧ノズル３４は、給水管Ｌ２に取り付けられる。
【００２５】
第１噴霧ノズル３４は、給水管Ｌ２を介して配水弁７１から水が供給される場合、筐体３１内に水を噴霧する。第１噴霧ノズル３４は、給水管Ｌ２を介して配水弁７１から水が供給されない場合、筐体３１内に水を噴霧しない。
【００２６】
第１噴霧ノズル３４は、水を噴射するノズル孔を有する。ノズル孔から噴射された水は、減圧に伴う急激な膨張によって霧化する。第１噴霧ノズル３４から噴霧される細霧は、熱交換器を介して第１送風ファン３２から送風される空気中に気化する。これにより、熱交換器３３によって冷却された空気は、第１噴霧ノズル３４から噴霧される細霧の気化熱によって更に冷却される。
【００２７】
第１噴霧ノズル３４は、細霧だけでなく粗霧も噴霧できることが好ましい。第１噴霧ノズル３４から粗霧が噴霧される場合、粗霧の多くは自重により落下して後述する水受け部４１に収集される一方、粗霧の一部は送風ダクト３５に放出される。
【００２８】
本明細書において、細霧とは、粒子径２２０μｍ以下の微細な霧を意味し、粗霧とは、粒子径２２０μｍ超の細霧より粗大な霧を意味する。霧の粒子径は、液浸法によって測定される。液浸法とは、シリコンオイルを塗布したプレートグラス上に霧を受け止め、シリコンオイル中に沈降した霧（水分）の拡大撮像写真上で霧の直径を測定する手法である（ＵＲＬ：https://www.kirinoikeuchi.co.jp/technology/18/、令和１年５月２０日検索）。
【００２９】
なお、第１噴霧ノズル３４が細霧及び粗霧の両方を噴霧できる場合、ノズル孔に目詰まりが生じにくいため、水道水に比べて不純物を多く含む地下水を継続的に利用することができる。
【００３０】
送風ダクト３５は、筐体３１から延びる。送風ダクト３５は、植物ＰＴの上方に配置される。送風ダクト３５には、筐体３１内で冷却又は加温された空気が流される。
【００３１】
送風ダクト３５は、植物ＰＴの成長点に向けて送風するための送風口３５ａを有する。送風口３５ａは、植物ＰＴの成長点の近傍に配置される。送風口３５ａから植物ＰＴの成長点周辺に空気が送風されることによって、植物ＰＴの成長点を生育に適した温度に維持することができる。
【００３２】
また、送風ダクト３５内を流れる空気中に粗霧が混入している場合、送風口３５ａから放出される粗霧は、培地ＣＭに落下する。そして、培地ＣＭに落下した粗霧が空気中に気化することによって、植物ＰＴの葉近傍の空気を光合成に適した湿度に加湿することができる。
【００３３】
２．根域温度調整部４０
根域温度調整部４０は、水受け部４１と、流水管４２とを有する。
【００３４】
水受け部４１は、筐体３１内に配置される。水受け部４１は、第１噴霧ノズル３４の下方に配置される。水受け部４１は、第１噴霧ノズル３４から噴霧される水の一部（具体的には、粗霧）と、熱交換器３３から流出する水とを受ける。水受け部４１は、水を貯留可能に構成されていてもよい。
【００３５】
流水管４２は、水受け部４１に接続される。流水管４２には、水受け部４１から流入する水が流される。流水管４２は、例えばパイプによって構成することができる。流水管４２は、培地ＣＭ内を通されており、植物ＰＴの根域（すなわち、根の近傍）に配管される。このように、第１噴霧ノズル３４から噴霧される水の一部を流水管４２に流すことによって、植物ＰＴの根域を生育に適した温度に維持することができる。
【００３６】
なお、流水管４２を通過した水は、栽培室１００の外部に排出される。
【００３７】
３．加湿部５０
加湿部５０は、配水管５１と、第２噴霧ノズル５２とを有する。
【００３８】
配水管５１は、植物ＰＴの上方に配管される。配水管５１は、給水管Ｌ３を介して配水弁７１から水が供給される場合、内部に水を通す。配水管５１は、給水管Ｌ３を介して配水弁７１から水が供給されない場合、内部に水を通さない。配水管５１は、パイプによって構成することができる。
【００３９】
第２噴霧ノズル５２は、配水管５１に取り付けられる。第２噴霧ノズル５２は、植物ＰＴの上方に配置される。第２噴霧ノズル５２は、配水管５１から水が供給される場合、栽培室１００内に水を噴霧する。第２噴霧ノズル５２は、配水管５１から水が供給されない場合、栽培室１００内に水を噴霧しない。
【００４０】
第２噴霧ノズル５２から噴霧される細霧は、植物ＰＴ周辺の空気中に気化する。これにより、植物ＰＴ周辺の空気を全体的に冷却することができる。
【００４１】
第２噴霧ノズル５２は、細霧だけでなく粗霧も噴霧できることが好ましい。第２噴霧ノズル５２から粗霧が噴霧される場合、粗霧は自重により培地ＣＭ周辺に落下する。これにより、培地ＣＭ周辺から水を空気中に気化させることによって、植物ＰＴ周辺の空気を全体的に加湿することができる。
【００４２】
なお、第２噴霧ノズル５２のノズル孔が細霧及び粗霧の両方を噴霧できる大きさである場合、ノズル孔に目詰まりが生じにくいので、水道水に比べて不純物を多く含む地下水を継続的に利用することができる。
【００４３】
４．暖気回収部６０
暖気回収部６０は、吸気ダクト６１と、第２送風ファン６２と、循環ダクト６３と、放出ダクト６４とを有する。ただし、循環ダクト６３及び放出ダクト６４は、季節に応じて、いずれか一方のみが用いられる。
【００４４】
吸気ダクト６１は、栽培室１００の天井１２に沿って配置される。吸気ダクト６１は、栽培室１００内の空気を吸入するための吸気口６１ａを有する。
【００４５】
第２送風ファン６２は、吸気ダクト６１と循環ダクト６３との間、又は、吸気ダクト６１と放出ダクト６４との間に配置される。第２送風ファン６２は、吸気ダクト６１内の空気を取り込み、循環ダクト６３又は放出ダクト６４に送風する。第２送風ファン６２は、後述する制御部７０によって回転駆動制御される。
【００４６】
循環ダクト６３は、栽培室１００内の空気を暖めたい場合に用いられる。循環ダクト６３は、第２送風ファン６２から送風される空気を第１送風ファン３２に送る。循環ダクト６３の一端部は、第２送風ファン６２に向かって開口する。循環ダクト６３の他端部は、シャッタ１３と筐体３１との隙間に向かって開口する。
【００４７】
放出ダクト６４は、栽培室１００内の空気を冷却したい場合に用いられる。放出ダクト６４は、第２送風ファン６２から送風される空気を栽培室１００の外部に放出する。放出ダクト６４の一端部は、第２送風ファン６２に向かって開口する。放出ダクト６４の他端部は、栽培室１００の外部に開口する。
【００４８】
５．制御部７０
制御部７０は、第１送風ファン３２及び第２送風ファン６２のそれぞれを回転駆動制御する。
【００４９】
制御部７０は、配水弁７１を制御することによって、送風部３０の第１噴霧ノズル３４と加湿部５０の第２噴霧ノズル５２（配水管５１）とへの給水量を制御する。配水弁７１には、給水管Ｌ４を介して水が供給される。
【００５０】
制御部７０は、第１噴霧ノズル３４に給水する場合、第１噴霧ノズル３４への給水量を第２噴霧ノズル５２（配水管５１）への給水量よりも多くしてもよいが、第２噴霧ノズル５２への給水を停止して第１噴霧ノズル３４のみへ給水することが好ましい。制御部７０は、第２噴霧ノズル５２に給水する場合、第２噴霧ノズル５２への給水量を第１噴霧ノズル３４への給水量よりも多くしてもよいが、第１噴霧ノズル３４への給水を停止して第２噴霧ノズル５２のみへ給水することが好ましい。
【００５１】
制御部７０は、第１噴霧ノズル３４及び第２噴霧ノズル５２へ交互に給水することが好ましい。すなわち、制御部７０は、第１噴霧ノズル３４への給水と第２噴霧ノズル５２への給水とを繰り返すことが好ましい。この場合、第１噴霧ノズル３４への給水が間欠的に行われて、送風口３５ａから送風される空気に含まれる粗霧の量を適度に抑えることができるため、植物ＰＴの葉近傍の空気が過剰に加湿されることを抑制できる。また、第２噴霧ノズル５２への給水が間欠的に行われるため、第２噴霧ノズル５２から粗霧が過剰に噴霧されることによって植物ＰＴの葉が濡れてしまうことを抑制できる。
【００５２】
制御部７０は、第１噴霧ノズル３４及び第２噴霧ノズル５２それぞれへの給水とは別に、熱交換器３３への給水量を制御する。制御部７０は、例えば、第１噴霧ノズル３４に給水する場合にのみ熱交換器３３へ給水してもよいし、熱交換器３３へ常時給水してもよい。
【００５３】
（空気調和装置２０による空気調和方法）
１．初夏〜初秋の日中
初夏〜初秋の日中は、外気温が高く、栽培室１００内も高温になる。そこで、シャッタ１３を開いた状態で、第１送風ファン３２及び第２送風ファン６２を回転駆動させるとともに、配水弁７１から熱交換器３３及び第１噴霧ノズル３４への給水と、第２噴霧ノズル５２への給水とを交互に行う。
【００５４】
これにより、送風部３０では、第１送風ファン３２から筐体３１内に取り込まれる空気（外気）が、熱交換器３３によって冷却されるとともに、第１噴霧ノズル３４から噴霧される細霧の気化熱によって更に冷却された後、送風ダクト３５の送風口３５ａから植物ＰＴの成長点に供給される。従って、植物ＰＴの成長点を局所冷却できる。また、第１噴霧ノズル３４から粗霧が噴霧される場合には、第１噴霧ノズル３４から噴霧される粗霧の一部が、送風ダクト３５内を流れて送風口３５ａから放出され、培地ＣＭに落下した後に空気中に気化するため、植物ＰＴの葉近傍の空気を光合成に適した湿度に加湿することができる。その結果、栽培室１００全体を冷却する場合に比べて運転コストを低減しながら、植物ＰＴの生育を促進させることができる。
【００５５】
また、根域温度調整部４０では、熱交換器３３から流出する水と第１噴霧ノズル３４から噴霧される粗霧とが流水管４２に流れることにより、植物ＰＴの根域を生育に適した温度に冷却することができる。
【００５６】
また、加湿部５０では、第２噴霧ノズル５２から噴霧される細霧の気化熱によって植物ＰＴ周辺の空気を全体的に冷却するとともに、第２噴霧ノズル５２から噴霧される粗霧が培地ＣＭ周辺から気化することにより、植物ＰＴ周辺の空気を全体的に加湿できる。
【００５７】
また、暖気回収部６０では、天井１２付近に溜まった高温の空気が吸気ダクト６１から取り込まれて、放出ダクト６４から栽培室１００の外部に放出されるため、送風部３０、根域温度調整部４０及び加湿部５０による冷却効率及び加湿効率を向上させることができる。
【００５８】
２．初夏〜初秋の夜間
初夏〜初秋の夜間は、栽培室１００内は高温になるものの、外気温の低下に伴って栽培室１００内の湿度は保持されるため、加湿の必要性は低い。そこで、シャッタ１３を閉じた状態で、第１送風ファン３２及び第２送風ファン６２を回転駆動させるとともに、熱交換器３３のみに給水する。
【００５９】
これにより、送風部３０では、第１送風ファン３２から筐体３１内に取り込まれる空気（内気）が、熱交換器３３のみによって冷却された後に、送風ダクト３５の送風口３５ａから植物ＰＴの成長点に供給される。従って、植物ＰＴの成長点を局所冷却することができる。
【００６０】
また、根域温度調整部４０では、熱交換器３３から流出する水が流水管４２に流れることによって、植物ＰＴの根域を生育に適した温度に冷却することができる。
【００６１】
また、暖気回収部６０では、天井１２付近に溜まった高温の空気が吸気ダクト６１から取り込まれて、放出ダクト６４から栽培室１００の外部に放出されるため、送風部３０及び根域温度調整部４０による冷却効率を向上させることができる。
【００６２】
３．春季及び秋季
春季及び秋季などの中間期は、外気の温度及び湿度が植物ＰＴの成長に適した範囲に留まるため、基本的には冷却及び加湿の必要性は低いが、栽培室１００内の空気が滞留すると、植物ＰＴの成長に必要な二酸化炭素が不足してしまう場合がある。
【００６３】
そこで、シャッタ１３を開いた状態で、第１送風ファン３２及び第２送風ファン６２を回転駆動させる。この場合、配水弁７１から熱交換器３３、第１噴霧ノズル３４及び第２噴霧ノズル５２へは給水しない。
【００６４】
これにより、送風部３０では、第１送風ファン３２から筐体３１内に取り込まれる空気（外気）が、冷却されることなく送風ダクト３５の送風口３５ａから植物ＰＴに供給される。従って、植物ＰＴに二酸化炭素を十分供給できるため、植物ＰＴの生育を促進させることができる。
【００６５】
また、暖気回収部６０では、天井１２付近に溜まった空気が吸気ダクト６１から取り込まれて、放出ダクト６４から栽培室１００の外部に放出されるため、栽培室１００内の空気循環効率を向上させることができる。
【００６６】
４．晩秋〜冬季
晩秋〜冬季は、外気温が低く、栽培室１００内も低温になるが、湿度は保持される。そこで、シャッタ１３を閉じた状態で、第１送風ファン３２及び第２送風ファン６２を回転駆動させるとともに、熱交換器３３のみに給水する。この際、放出ダクト６４に代えて循環ダクト６３を取り付ける。
【００６７】
これにより、送風部３０では、暖気回収部６０から回収された天井付近の空気が、第１送風ファン３２から筐体３１内に取り込まれ、熱交換器３３によって加温された後に、送風ダクト３５の送風口３５ａから植物ＰＴの成長点に供給される。従って、植物ＰＴの成長点を局所加温できるため、栽培室１００全体を加温する場合に比べて運転コストを低減しつつ、植物ＰＴの生育を促進させることができる。
【００６８】
また、根域温度調整部４０では、熱交換器３３から流出する水が流水管４２に流れることによって、植物ＰＴの根域を生育に適した温度に加温することができる。
【００６９】
また、暖気回収部６０では、天井１２付近に溜まった暖気が吸気ダクト６１から取り込まれて、循環ダクト６３を介して送風部３０に送り込まれるため、送風部３０及び根域温度調整部４０による加温効率を向上させることができる。
【００７０】
（特徴）
（１）空気調和装置２０は、筐体３１と、第１送風ファン３２と、熱交換器３３と、第１噴霧ノズル３４と、送風ダクト３５とを備える。第１送風ファン３２、熱交換器３３及び第１噴霧ノズル３４は、筐体３１内に配置される。送風ダクト３５は、筐体３１から延び、植物ＰＴの成長点に向けて送風するための送風口３５ａを有する。
【００７１】
このように、空気調和装置２０の主要部が筐体３１内に集約されているため、省スペース化できるとともに、作製コストも低減できる。また、上述のとおり、第１送風ファン３２の回転駆動と熱交換器３３及び第１噴霧ノズル３４への給水とを組み合わせることにより、季節に応じて、植物ＰＴの生育を効率的に促進することができる。
【００７２】
（２）熱交換器３３及び第１噴霧ノズル３４の少なくとも一方に供給される水は、地下水であることが好ましい。これによって、年間を通して水温が安定した地下水で効率的に空気調和を行うとともに、空気調和装置２０の運転コストを低減させることができる。
【００７３】
（３）第１噴霧ノズル３４は、細霧及び粗霧を噴霧できることが好ましい。これによって、第１送風ファン３２から送風される空気を細霧の気化熱によって冷却できるとともに、送風ダクト３５の送風口３５ａから粗霧を放出させることによって植物ＰＴの葉近傍の空気を加湿することができる。
【００７４】
（４）空気調和装置２０は、第１噴霧ノズル３４から噴霧される水の一部を受ける水受け部４１と、植物ＰＴの根域に配置される流水管４２とを備えることが好ましい。これによって、第１噴霧ノズル３４から噴霧される水の一部を流水管４２に流すことによって、植物ＰＴの根域を生育に適した温度に冷却又は加温することができる。
【００７５】
（５）空気調和装置２０は、間欠的に第１噴霧ノズル３４へ給水する制御部７０を備えることが好ましい。これによって、送風口３５ａから送風される空気の湿度を適度に抑えることができるため、植物ＰＴの葉近傍の空気が過剰に加湿されることを抑制できる。
【００７６】
（６）空気調和装置２０は、植物ＰＴの上方に配管される配水管５１と、水を栽培室１００内に噴霧する第２噴霧ノズル５２とを備えることが好ましい。これによって、第２噴霧ノズル５２から噴霧される水の気化熱により、植物ＰＴ周辺の空気を全体的に冷却するとともに、第２噴霧ノズル５２から噴霧される粗霧が培地ＣＭ周辺から気化することにより、植物ＰＴ周辺の空気を全体的に加湿することができる。
【００７７】
（７）制御部７０は、間欠的に第２噴霧ノズル５２へ給水することが好ましい。これによって、第２噴霧ノズル５２から噴霧される水によって植物ＰＴの葉が濡れてしまうことを抑制できる。
【００７８】
（８）空気調和装置２０は、栽培室１００内の空気を吸入するための吸気口６１ａを有する吸気ダクト６１と、吸気ダクト６１内の空気を取り込む第２送風ファン６２と、第２送風ファン６２から送風される空気を第１送風ファン３２に送る循環ダクト６３とを備えることが好ましい。これによって、栽培室１００内に暖かい空気を循環させることができるため、植物ＰＴの加温効率を向上させることができる。
【００７９】
（９）空気調和装置２０は、栽培室１００内の空気を吸入するための吸気口６１ａを有する吸気ダクト６１と、吸気ダクト６１内の空気を取り込む第２送風ファン６２と、第２送風ファン６２から送風される空気を外部に放出する放出ダクト６４とを備えることが好ましい。これによって、栽培室１００内の暖かい空気を外部に放出できるため、植物ＰＴの冷却効率を向上させることができる。
【００８０】
（実施形態の変形例）
本発明は以上のような実施形態に限定されるものではなく、本発明の範囲を逸脱しない範囲で種々の変形又は変更が可能である。
【００８１】
１．変形例１
上記実施形態において、空気調和装置２０は、送風部３０と、根域温度調整部４０と、加湿部５０と、暖気回収部６０と、制御部７０とを備えることとしたが、少なくとも送風部３０を備えていればよい。
【００８２】
２．変形例２
上記実施形態において、栽培室１００の外壁１０にはシャッタ１３が取り付けられることとしたが、シャッタ１３は取り付けられていなくてもよい。
【００８３】
３．変形例３
上記実施形態において、筐体３１は、シャッタ１３から所定間隔を隔てて配置されることとしたが、筐体３１とシャッタ１３はダクトによって連結されていてもよい。
【００８４】
４．変形例４
上記実施形態において、第１噴霧ノズル３４は、空気の流れ方向において、熱交換器３３の下流側に配置されることとしたが、熱交換器３３の上流側に配置されていてもよい。
【００８５】
５．変形例５
上記実施形態において、制御部７０は、第１噴霧ノズル３４及び第２噴霧ノズル５２へ交互に給水することとしたが、第１噴霧ノズル３４及び第２噴霧ノズル５２の少なくとも一方へは連続的に給水してもよい。
【００８６】
６．変形例６
上記実施形態において、水受け部４１は、第１噴霧ノズル３４から噴霧される水の一部と、熱交換器３３から放出される水とを受けることとしたが、少なくとも第１噴霧ノズル３４から噴霧される水の一部を受けることができればよい。
【００８７】
７．変形例７
上記実施形態では特に触れていないが、第１噴霧ノズル３４は、１つのノズルによって構成されていてもよいし、２以上のノズルによって構成されていてもよい。第１噴霧ノズル３４が２以上のノズルによって構成される場合、第１噴霧ノズル３４は、主に細霧を噴霧する細霧用ノズルと、主に粗霧を噴霧する粗霧用ノズルとを含んでいてもよい。
【００８８】
８．変形例８
上記実施形態では、循環ダクト６３及び放出ダクト６４の一方のみが用いられることとしたが、両方を常時設置してもよい。この場合、循環ダクト６３と放出ダクト６４との分岐部にシャッタやダンパー等を設置することによって、第２送風ファン６２から送風される空気を循環ダクト６３及び放出ダクト６４の一方に送出することができる。
【００８９】
９．変形例９
上記実施形態では、熱交換器３３、第１噴霧ノズル３４及び第２噴霧ノズル５２のそれぞれに配水弁７１から１種類の水（好ましくは、地下水）が供給されることとしたが、熱交換器３３、第１噴霧ノズル３４及び第２噴霧ノズル５２のそれぞれには、別種類の水を供給してもよい。従って、例えば、熱交換器３３及び第１噴霧ノズル３４には地下水を供給し、第２噴霧ノズル５２には水道水を供給することとしてもよい。
【符号の説明】
【００９０】
１０      外壁
１１      側壁
１２      天井
１３      シャッタ
２０      空気調和装置
３０      送風部
３１      筐体
３２      第１送風ファン
３３      熱交換器
３４      第１噴霧ノズル
３５      送風ダクト
３５ａ    送風口
４０      根域温度調整部
４１      水受け部
４２      流水管
５０      加湿部
５１      配水管
５２      第２噴霧ノズル
６０      暖気回収部
６１      吸気ダクト
６１ａ    吸気口
６２      第２送風ファン
６３      循環ダクト
６４      放出ダクト
７０      制御部
１００    栽培室
ＰＴ      植物
ＣＭ      培地
【図１】
2020191847.tif 000003